(57)【要約】【課題】波長分離部とトランスポンダ部の間の誤接続を監視するための、主信号以外の管理情報を分離、解釈するための回路、管理情報を含む信号を生成する回路を不要とする。【解決手段】波長多重分離部４０は、チャネルごとに設けられた、互いに光学的に接続された入出力手段５０及び誤接続判定部６０と、各チャネルの誤接続判定部と光学的に接続された波長多重手段５２とを備えている。誤接続判定部は、当該チャネルに割り当てられた波長の光信号を選択して出力し、かつ、他のチャネルに割り当てられた波長の光を遮断する波長選択手段７０と、波長選択手段から出力された光信号を電気信号に変換する光電変換手段７４と、電気信号の強度を、予め定められたしきい値と比較して、当該チャネルに割り当てられた波長の光信号の有無を判定する判定手段７６と、判定の結果を出力する判定結果出力手段７８とを備えている。【選択図】図１
2010114507.tif 000002
【特許請求の範囲】
【請求項１】
ｎチャネル（ｎは２以上の整数）の光信号を多重する波長多重分離部を備える光通信装置であって、
前記波長多重分離部は、
チャネルごとに設けられた、互いに光学的に接続された入出力手段及び誤接続判定部と、
各チャネルの前記誤接続判定部と光学的に接続された波長多重手段と
を備え、
チャネルごとに設けられた前記誤接続判定部の各々は、
当該チャネルに割り当てられた波長の光信号を選択して出力し、かつ、他のチャネルに割り当てられた波長の光を遮断する波長選択手段と、
前記波長選択手段から出力された光信号を電気信号に変換する光電変換手段と、
前記電気信号の強度を、予め定められたしきい値と比較して、当該チャネルに割り当てられた波長の光信号の有無を判定する判定手段と、
前記判定の結果を出力する判定結果出力手段と
を備えることを特徴とする光通信装置。
【請求項２】
前記誤接続判定部の各々は、前記波長選択手段から出力された光信号を２分岐して一方を前記波長多重手段に送り、他方を前記光電変換手段に送る分岐手段を備える
ことを特徴とする請求項１に記載の光通信装置。
【請求項３】
前記誤接続判定部の各々は、前記入出力手段から送られた光信号を２分岐して一方を前記波長多重手段に送り、他方を前記波長選択手段に送る分岐手段を備える
ことを特徴とする請求項１に記載の光通信装置。
【請求項４】
前記波長多重分離部に、さらに波長分離手段を備え、
前記入出力手段の各々は、一対の端子を備え、
一方の端子が、前記誤接続判定部に光学的に接続され、
他方の端子が、前記波長分離手段に光学的に接続されている
ことを特徴とする請求項１〜３のいずれか一項に記載の光通信装置。  
【請求項５】
前記波長多重分離部の入出力手段に光学的に接続されたｎ個のトランスポンダ部を備え、
前記トランスポンダ部の各々は、
外部から入力された信号を、対応するチャネルに割り当てられた波長の光信号に変換して、前記波長多重分離部へ送る入力信号変換手段を備える
ことを特徴とする請求項１〜３のいずれか一項に記載の光通信装置。
【請求項６】
前記波長多重分離部の入出力手段に光学的に接続されたｎ個のトランスポンダ部を備え、
前記トランスポンダ部の各々は、
外部から入力された信号を、対応するチャネルに割り当てられた波長の光信号に変換して、前記波長多重分離部へ送る入力信号変換手段と、
前記波長多重分離部から送られた信号を、所定の信号に変換して外部に出力する出力信号変換手段と、
一方が、前記入力信号変換手段に光学的に接続され、他方が、前記出力信号変換手段に光学的に接続されている一対の端子と
を備え、
前記波長多重分離部の端子と、前記トランスポンダ部の端子との間は、送受信一対の光ファイバで接続されている
ことを特徴とする請求項４に記載の光通信装置。
【請求項７】
ｎチャネル（ｎは２以上の整数）のトランスポンダ部と、トランスポンダ部から送られた光信号を多重する波長多重分離部を備える光通信装置で、前記トランスポンダ部のそれぞれと、前記波長多重分離部との間の誤接続を監視する方法であって、
前記波長多重分離部において、
前記トランスポンダ部から送られた光信号に対して、当該チャネルに割り当てられた波長の光信号を選択して出力し、かつ、他のチャネルに割り当てられた波長の光を遮断する過程と、
前記波長選択手段から出力された光信号を電気信号に変換する過程と、
前記電気信号の強度を、予め定められたしきい値と比較して、当該チャネルに割り当てられた波長の光信号の有無を判定する過程と、
前記判定の結果を出力する過程と
を備えることを特徴とする光通信装置における誤接続監視方法。
【発明の詳細な説明】
【技術分野】
【０００１】
この発明は、光通信装置、特に、互いに異なる波長の光信号を多重する波長多重分離部を備える光通信装置に関する。また、この発明は、光通信装置が備える、波長多重分離部と、外部から入力された複数の信号を互いに異なる波長の光信号に変換するトランスポンダ部との間の誤接続を監視する、誤接続監視方法に関する。
【背景技術】
【０００２】
近年、インターネットの普及等により通信需要が急速に増大しており、それに対応して光ファイバを用いた高速で大容量の光通信ネットワークが整備されつつある。そして、通信の大容量化のために、一本の光ファイバ伝送路に複数チャンネル分の光パルス信号をまとめて伝送する光多重技術が重要視されている。光多重技術の内の１つが、複数の相異なる波長をチャンネルごとに割り当てて実現される波長分割多重（ＷＤＭ：Ｗａｖｅｌｅｎｇｔｈ  Ｄｉｖｉｓｉｏｎ  Ｍｕｌｔｉｐｌｅｘｉｎｇ）方式であり、一般的な手法として現在広く使われている。
【０００３】
図４を参照して、ＷＤＭ方式の光通信ネットワークについて説明する。図４は、ＷＤＭ方式の光通信ネットワークの模式図である。
【０００４】
ＷＤＭ方式の光通信ネットワークでは、センタ装置１２及び１４間をＷＤＭ信号が送受信され、センタ装置１２及び１４とローカル装置（クライアント装置とも称する。）９２−１〜ｎ及び９４−１〜ｎとの間を電気信号が送受信される。このＷＤＭ方式の光通信ネットワークのセンタ装置１２として用いられる、波長分割多重を行う光通信装置（以下、ＷＤＭ装置と称する。）は、一般に、多重されるチャネル数ｎに等しい個数のトランスポンダ部２４−１〜ｎと、波長多重分離部４４を備えて構成される（例えば、非特許文献１参照）。各トランスポンダ部２４−１〜ｎ、及び、波長多重分離部４４は、それぞれ個別の基板で構成される。
【０００５】
センタ装置１２の各トランスポンダ部２４−１〜ｎには、それぞれクライアント装置９２−１〜ｎが接続されている。各トランスポンダ部２４−１〜ｎは、接続されているクライアント装置９２−１〜ｎから受信した電気信号を光信号に変換して、当該光信号を波長多重分離部４４に送る。このとき、各トランスポンダ部２４−１〜ｎは、電気信号を、チャネルごとに割り当てられた互いに異なる波長の光信号に変換する。また、各トランスポンダ部２４−１〜ｎは、波長多重分離部４４から受け取った光信号を電気信号に変換して、当該電気信号を、各トランスポンダ部２４−１〜ｎに接続されているクライアント装置９２−１〜ｎに送信する。
【０００６】
波長多重分離部４４が備える波長多重手段５２は、トランスポンダ部２４−１〜ｎから受信した光信号を多重することにより、ＷＤＭ信号を生成して、当該ＷＤＭ信号を他のセンタ装置１４に送信する。また、波長多重分離部４４が備える波長分離手段５４は、他のセンタ装置１４から受信したＷＤＭ信号を、各チャネルに割り当てられた波長に分波して、それぞれ対応するトランスポンダ部２４−１〜ｎに送る。
【０００７】
ここで、トランスポンダ部２４−１〜ｎと波長多重分離部４４との間の誤接続があると、例えば、波長多重手段５２の入力ポートに予定されていない波長の光信号が入力されることになり、その結果、光信号が遮断されたり、誤った送信先に信号が送られたりしてしまう。このため、トランスポンダ部２４−１〜ｎと波長多重分離部４４との間の誤接続を監視し、防止する必要がある。
【０００８】
この誤接続の監視を行うために、主信号とは別に接続管理情報を用いる提案がなされている（例えば、特許文献１参照）。
【０００９】
図５を参照して、特許文献１に開示されている誤接続監視システムの従来例について説明する。図５は、誤接続監視システムの従来例を説明するための概略的なブロック図である。
【００１０】
この従来例の、誤接続監視システムを備える光通信装置では、トランスポンダ部２６に、Ｅ／Ｏ変換手段３０、信号切換部３７及び接続管理情報生成部３９を備えている。接続管理情報生成部３９は、接続管理情報を含む、主信号に比べて低速な信号を生成する。この信号は、信号切換部３７を経てＥ／Ｏ変換手段３０に送られ、Ｅ／Ｏ変換手段３０で所定の波長の光信号に変換された後、波長多重分離部４６に送られる。
【００１１】
波長多重分離部４６は、波長多重手段５２に加えて、誤接続判定部６６を備えている。誤接続判定部６６は、分岐手段７２、光電変換手段８０、光レベル検出手段８２及び接続管理情報解釈手段８４を備えて構成される。
【００１２】
トランスポンダ部２６から受け取った光信号は、分岐手段７２を経て光電変換手段８０に送られる。光電変換手段８０は、低速信号のみ正常に検出可能な光電検出素子で構成され、光信号を電気信号に変換する。
【００１３】
光レベル検出手段８２は、光パワーレベルを検出し、接続管理情報解釈手段８４は、電気信号から接続管理情報を抽出する。光レベル検出手段８２で検出された光パワーレベル、及び、接続管理情報解釈手段８４で抽出された接続管理情報は、波長多重分離部４６が備える制御手段８６に送られる。制御手段８６は、受け取った、光パワーレベル及び接続管理情報を用いて、誤接続監視を行う。
【特許文献１】特開２００１−３５８６６６号公報
【非特許文献１】米澤智洋他著「経済的なエントランス光伝送路構築に向けた小型ＷＤＭ装置の開発」ＮＴＴ  ＤｏＣｏＭｏテクニカル・ジャーナルＶｏｌ．１４.Ｎｏ．３  ｐｐ．３２−３７，  ２００６
【発明の開示】
【発明が解決しようとする課題】
【００１４】
しかしながら、特許文献１に開示されている、従来例のＷＤＭ装置では、波長分離部に、主信号以外の管理情報を分離し、その管理情報を解釈するための回路が、チャネル数に応じて必要となる。また、各トランスポンダ部には、管理情報を含む信号を生成する回路が必要となる。この結果、波長分離部及び各トランスポンダ部の回路規模が増加してしまう。
【００１５】
この発明は、上述の問題点に鑑みてなされたものであり、この発明の目的は、波長多重部に、チャネルに割り当てられた波長の光信号を選択して出力し、かつ、他のチャネルに割り当てられた波長の光を遮断する波長選択手段を、チャネルごとに備え、波長選択手段からの光信号の出力の有無により、誤接続を監視する、光通信装置と、この光通信装置における誤接続監視方法を提供することにある。
【課題を解決するための手段】
【００１６】
上述した目的を達成するために、この発明の光通信装置は、ｎチャネル（ｎは２以上の整数）の光信号を多重する波長多重分離部を備えて構成される。
【００１７】
波長多重分離部は、チャネルごとに設けられた、互いに光学的に接続された入出力手段及び誤接続判定部と、各チャネルの誤接続判定部と光学的に接続された波長多重手段とを備えている。
【００１８】
チャネルごとに設けられた誤接続判定部の各々は、波長選択手段と、光電変換手段と、判定手段と、判定結果出力手段とを備えている。
【００１９】
波長選択手段は、当該チャネルに割り当てられた波長の光信号を選択して出力し、かつ、他のチャネルに割り当てられた波長の光を遮断する。光電変換手段は、波長選択手段から出力された光信号を電気信号に変換する。判定手段は、電気信号の強度を、予め定められたしきい値と比較して、当該チャネルに割り当てられた波長の光信号の有無を判定する。判定結果出力手段は、判定の結果を出力する。
【００２０】
上述した光通信装置の好適な実施形態によれば、誤接続判定部の各々は、波長選択手段から出力された光信号を２分岐して一方を波長多重手段に送り、他方を光電変換手段に送る分岐手段を備えるのが良い。また、上述した光通信装置の他の好適な実施形態によれば、誤接続判定部の各々は、入出力手段から送られた光信号を２分岐して一方を波長多重手段に送り、他方を波長選択手段に送る分岐手段を備えるのが良い。
【００２１】
上述した光通信装置の実施にあたり、好ましくは、波長多重分離部に、さらに波長分離手段を備え、ｎ個の入出力手段は、それぞれ一対の端子を備えるのが良い。このとき、一方の端子が、誤接続判定部に光学的に接続され、他方の端子が、波長分離手段に光学的に接続される。  
【００２２】
また、この発明の光通信装置は、波長多重分離部の入出力手段に光学的に接続されたｎ個のトランスポンダ部を備えるのが良い。
【００２３】
トランスポンダ部の各々は、外部から入力された信号を、対応するチャネルに割り当てられた波長の光信号に変換して、波長多重分離部へ送る入力信号変換手段を備えて構成される。
【００２４】
この発明の光通信装置の他の好適実施形態によれば、トランスポンダ部の各々が、入力信号変換手段と、出力信号変換手段と、一対の端子とを備えて構成されるのが良い。入力信号変換手段は、外部から入力された信号を、対応するチャネルに割り当てられた波長の光信号に変換して、波長多重分離部へ送る。出力信号変換手段は、波長多重分離部から送られた信号を、所定の信号に変換して外部に出力する。
【００２５】
一対の端子の一方が、入力信号変換手段に光学的に接続され、他方が、出力信号変換手段に光学的に接続されている。波長多重分離部の端子と、トランスポンダ部の端子との間は、送受信一対の光ファイバで接続されている。
【００２６】
また、上述した目的を達成するために、この発明の光通信装置における誤接続監視方法は、ｎチャネル（ｎは２以上の整数）のトランスポンダ部と、トランスポンダ部から送られた光信号を多重する波長多重分離部を備える光通信装置で、トランスポンダ部のそれぞれと、波長多重分離部との間の誤接続を監視する方法であって、波長多重分離部において実施される、以下の過程を備えている。
【００２７】
先ず、トランスポンダ部から送られた光信号に対して、当該チャネルに割り当てられた波長の光信号を選択して出力し、かつ、他のチャネルに割り当てられた波長の光を遮断する。次に、波長選択手段から出力された光信号を電気信号に変換する。次に、電気信号の強度を、予め定められたしきい値と比較して、当該チャネルに割り当てられた波長の光信号の有無を判定する。次に、判定の結果を出力する。
【発明の効果】
【００２８】
この発明の光通信装置及び光通信装置における誤接続監視方法によれば、光多重部の前段に、各チャネルに割り当てられた光信号を出力し、他のチャネルに割り当てられた光信号を遮断する選択手段を備え、選択手段から出力される光信号の有無によって、誤接続を監視する。
【００２９】
このため、主信号以外の情報を用いなくても誤接続の監視が可能となるので、接続管理情報の処理を行う回路が不要となる。また、接続管理情報の処理を行う回路が不要となるので、装置の小型化が容易になる。
【００３０】
また、トランスポンダ部と、波長多重分離部にそれぞれ１対の端子を設けて、トランスポンダ部と波長多重分離部の間を送受信１対の光ファイバで接続すると、送受信の一方のみの監視で、送受信の誤接続の有無の判定が可能になる。
【発明を実施するための最良の形態】
【００３１】
以下、図を参照して、この発明の実施の形態について説明するが、この発明が理解できる程度に概略的に示したものに過ぎない。また、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３２】
（第１実施形態）
図１を参照して、第１実施形態の光通信装置について説明する。図１は、第１実施形態の光通信装置を説明するための概略的なブロック図である。第１実施形態の光通信装置１０は、波長分割多重（ＷＤＭ）を行う装置であり、以下の説明では、ＷＤＭ装置と称することもある。
【００３３】
ＷＤＭ方式の光通信ネットワークは、図４を参照して説明したように、複数のセンタ装置１２及び１４と、複数のクライアント装置９２及び９４を含んで構成されている。複数のセンタ装置１２及び１４間は、光ファイバで接続されていて、センタ装置１２及び１４間で、ＷＤＭ信号が送受信される。一方、各クライアント装置９２及び９４は、いずれかのセンタ装置１２及び１４に接続されている。クライアント装置９２及び９４とセンタ装置１２及び１４との間は、電気信号、あるいは、光信号が送受信される。
【００３４】
ここでは、センタ装置としてＷＤＭ装置１０が用いられ、ＷＤＭ装置１０に、ｎ個（ｎは２以上の整数）のクライアント装置（図１では、図示を省略する。）が接続されている場合を例にとって説明する。ＷＤＭ装置１０は、ｎチャネルの信号を多重してＷＤＭ信号を生成する。
【００３５】
ＷＤＭ装置１０は、チャネル数ｎに応じた個数のトランスポンダ部２０−１〜ｎと、波長多重分離部４０とを備えている。各チャネルには、それぞれ異なる波長が割り当てられている。ｎ個のトランスポンダ部２０−１〜ｎと、波長多重分離部４０は、それぞれ個別の基板（ボード）で構成される。各トランスポンダ部２０−１〜ｎと、波長多重分離部４０との間は、光ファイバ９０−１〜ｎで接続される。
【００３６】
トランスポンダ部２０−１〜ｎは、外部から入力された信号（図中、矢印Ｓ１００−１〜ｎで示す。）を、割り当てられた波長の光信号（図中、矢印Ｓ１２０−１〜ｎで示す。）に変換して、波長多重分離部４０に送る。トランスポンダ部２０−１〜ｎは、基板に電気／光（Ｅ／Ｏ）変換手段３０と、入出力手段３２を備えて構成される。
【００３７】
Ｅ／Ｏ変換手段３０は、トランスポンダ部２０に入力された電気信号を、チャネルごとに割り当てられた波長の光信号に変換する。入出力手段３２は、トランスポンダ部２０と波長多重分離部４０の間を光ファイバ９０で接続するのに用いられる接続端子で構成される。Ｅ／Ｏ変換手段３０で変換された光信号Ｓ１２０は、入出力手段３２を経て、波長多重分離部４０に送られる。
【００３８】
また、トランスポンダ部２０は、光／電気（Ｏ／Ｅ）変換手段３４も備えている。Ｏ／Ｅ変換手段３４は、波長多重分離部４０から入出力手段３２を経て受け取った光信号（図中、Ｓ１４０−１〜ｎで示す。）を電気信号（図中、Ｓ１１１−１〜ｎで示す。）に変換する。Ｏ／Ｅ変換手段３４で変換された電気信号Ｓ１１１は、当該トランスポンダ部２０に接続されているクライアント装置に送信される。
【００３９】
なお、クライアント装置とトランスポンダ部が光ファイバで接続されている場合など、トランスポンダ部には、外部から光信号が入力されることもある。
【００４０】
図２を参照して、トランスポンダ部の他の構成例として、外部から光信号が入力される場合のトランスポンダ部について説明する。図２は、トランスポンダ部の模式的なブロック図である。
【００４１】
外部から光信号が入力されるトランスポンダ部２２は、Ｅ／Ｏ変換手段３０、入出力手段３２、Ｏ／Ｅ変換手段３４、入力用Ｏ／Ｅ変換手段３６及び出力用Ｅ／Ｏ変換手段３８を備えて構成される。トランスポンダ部２２に入力された所定の波長λ０の光信号（図中、矢印Ｓ１０２で示す。）は、入力用Ｏ／Ｅ変換手段３６で電気信号（図中、矢印Ｓ１３６で示す。）に変換された後、Ｅ／Ｏ変換手段３０で、チャネルごとに割り当てられた波長の光信号に変換される。
【００４２】
例えば、第１チャネルに第１の波長λ１が割り当てられているとき、第１チャネルのトランスポンダ部２２が備えるＥ／Ｏ変換手段３０は、電気信号を第１の波長λ１の光信号Ｓ１３０に変換する。その後、光信号Ｓ１２０は、入出力手段３２を経て、波長多重分離部（図２では、図示を省略する。）に送られる。また、トランスポンダ部２２が、波長多重分離部から受け取った光信号Ｓ１４０は、入出力手段３２を経てＯ／Ｅ変換手段３４に送られる。光信号は、Ｏ／Ｅ変換手段３４で電気信号（図中、矢印Ｓ１３４で示す。）に変換された後、出力用Ｅ／Ｏ変換手段３８で所定の波長λ０の光信号Ｓ１２２に変換される。この光信号Ｓ１２２は、クライアント装置に送信される。
【００４３】
上述した、トランスポンダ部のＥ／Ｏ変換手段３０及びＯ／Ｅ変換手段３４は、例えば、ＳＦＰ（Ｓｍａｌｌ  Ｆｏｒｍ−ｆａｃｔｏｒ  Ｐｌｕｇｇａｂｌｅ）型、ＸＦＰ（１０  Ｇｉｇａｂｉｔ  Ｓｍａｌｌ  Ｆｏｒｍ−ｆａｃｔｏｒ  Ｐｌｕｇｇａｂｌｅ）型、又は、３００ｐｉｎ  ＭＳＡ（Ｍｕｌｔｉ−Ｓｏｕｒｃｅ  Ａｇｒｅｅｍｅｎｔ）型のモジュールとして構成することができる。
【００４４】
再び図１を参照して、波長多重分離部４０について説明する。
【００４５】
波長多重分離部４０は、チャネルごとに設けられた、互いに光学的に接続された入出力手段５０−１〜ｎ及び誤接続判定部６０−１〜ｎと、各チャネルの誤接続判定部６０−１〜ｎに光学的に接続された波長多重手段５２と、各チャネルの入出力手段５０−１〜ｎに光学的に接続された波長分離手段５４とを備えている。
【００４６】
入出力手段５０−１〜ｎと誤接続判定部６０−１〜ｎの間、誤接続判定部６０−１〜ｎと波長多重手段５２の間、及び、入出力手段５０−１〜ｎと波長分離手段５４の間の光学的な接続は、例えば、光ファイバを用いてなされる。以下、光ファイバを用いた例について説明するが、波長多重分離部が備える各光学部品に応じて、光学的な接続として、レンズ系を利用した空間結合や、基板に作りこんだ光導波路を利用することもできる。
【００４７】
入出力手段５０−１〜ｎは、トランスポンダ部２０−１〜ｎと波長多重分離部４０の間を光ファイバ９０−１〜ｎで接続するのに用いられる接続端子（コネクタ）である。このコネクタは、任意好適な従来周知のものを用いれば良い。なお、入出力手段５０−１〜ｎとして、２つの端子が一対となっている端子をそれぞれ用い、光ファイバ９０−１〜ｎとして、例えば、２芯１対の光ファイバを用いると、トランスポンダ部２０から波長多重分離部４０へ向かう光信号を監視するだけで誤接続監視が可能となり、逆方向の光信号、すなわち、波長多重分離部４０からトランスポンダ部２０へ向かう光信号の監視は不要になる。
【００４８】
波長多重手段５２及び波長分離手段５４は、ＷＤＭ装置で波長分割多重を行うのに用いる、任意好適な従来周知の構成にすればよい。波長多重手段５２は、複数の単波長ポートにそれぞれ異なる波長の光が入力されると、入力された光を多重して、波長多重信号としてＷＤＭポートから出力する。波長分離手段５４は、波長多重手段５２と同様に構成することができる。波長分離手段５４のＷＤＭポートに波長多重信号が入力されると、各単波長ポートから、ポートごとに設定された、互いに異なる波長の光が出力される。
【００４９】
誤接続判定部６０−１〜ｎの各々は、波長選択手段７０と、分岐手段７２と、光電変換手段７４と、判定手段７６と、判定結果出力手段７８とを備えている。
【００５０】
波長選択手段７０は、当該チャネルに割り当てられた波長の光信号を選択して出力し、かつ、他のチャネルに割り当てられた波長の光を遮断する。波長選択手段７０として、例えば、上述の波長分離手段５４と同様に構成することができる。ＷＤＭポートへ光信号を入力すると、各単波長ポートから、ポートごとに設定された波長の光を出力するので、所定の波長の光信号を出力し、他の波長の光信号を遮断できる。
【００５１】
なお、波長選択手段７０は、所定の波長の光を出力し、他の波長の光を遮断する、いわゆる波長フィルタとしての機能を有していれば良く、任意好適な従来周知の構成にすることができる。例えば、波長選択手段として、光ファイバに回折格子を作りこんだＦＢＧ（Ｆｉｂｅｒ  Ｂｒａｇｇ  Ｇｒａｔｉｎｇ）を用いて、回折格子の間隔で定まる所定の波長の光を反射させる構成にしても良い。
【００５２】
第１〜ｎチャネルにそれぞれ第１波長λ１〜第ｎ波長λｎが割り当てられている場合、第１チャネルの波長選択手段７０−１は、第１波長λ１の光信号を出力し、第２波長λ２〜第ｎ波長λｎの光信号を遮断する。同様に、第２〜ｎチャネルの波長選択手段７０−２〜ｎは、それぞれ、第２〜ｎ波長λ２〜ｎの光信号を出力して、他の波長の光信号を遮断する。
【００５３】
波長選択手段７０から出力された光信号である選択光信号（図中、矢印Ｓ１７０で示す。）は、分岐手段７２に送られる。分岐手段７２は、選択光信号Ｓ１７０を２分岐して、一方の第１選択光信号（図中、矢印Ｓ１７２で示す。）を光電変換手段７４に送り、他方の第２選択光信号（図中、矢印Ｓ１７３で示す。）を波長多重手段５２に送る。
【００５４】
分岐手段７２は、入力された光信号を２分岐して出力する機能を有していれば良く、例えば、光分岐部品などで構成される。分岐手段７２における分岐の比率は、設計に応じて任意好適な比率に設定すれば良い。例えば、第１選択光信号Ｓ１７２については、光電変換手段７４や判定手段７６における光信号の有無の判定に必要な強度が考慮され、また、第２選択光信号Ｓ１７３については、光信号の伝送に必要な強度が考慮されて比率が設定される。
【００５５】
波長多重手段５２は、各誤接続判定部６０−１〜ｎから受け取った第２選択光信号Ｓ１７３を波長多重して、ＷＤＭ信号を生成する。このＷＤＭ信号は、他のＷＤＭ装置へ送信される。
【００５６】
光電変換手段７４は、分岐手段７２から受け取った第１選択光信号Ｓ１７２を電気信号Ｓ１７４に変換する。光電変換手段７４は、光信号を電気信号に変換する機能を有していれば良く、例えば、フォトダイオード（ＰＤ）を用いて構成される。光電変換手段７４で生成された電気信号Ｓ１７４は、判定手段７６に送られる。
【００５７】
判定手段７６は、電気信号Ｓ１７４の強度を、予め定められたしきい値と比較する。電気信号の強度がしきい値以上であれば、そのチャネルに割り当てられた波長の光信号が「有」と判定され、しきい値より小さい場合は、そのチャネルに割り当てられた波長の光信号が「無」と判定される。判定手段７６は、光信号が「有」の場合は、“１”を示すＨレベルの論理信号（図中、矢印Ｓ１７６で示す。）を判定結果出力手段７８に送り、一方、光信号が「無」の場合は、“０”を示すＬレベルの論理信号Ｓ１７６を判定結果出力手段７８に送る。
【００５８】
判定手段７６は、光信号の有無、すなわち、電気信号がしきい値以上であるか否かを判定して、その結果を示す論理信号を生成できれば良く、既存の信号断検出回路と同様に構成することができる。
【００５９】
判定結果出力手段７８は、判定の結果を外部に出力する。判定結果出力手段７８は、例えば発光ダイオード（ＬＥＤ）などの発光素子を用いて構成される。この場合、論理信号Ｓ１７６が“１”を示すとき、すなわち、所定の波長の光信号が有るときに、ＬＥＤが点灯し、論理信号Ｓ１７６が“０”を示すとき、すなわち、所定の波長の光信号が無いときにＬＥＤが消灯する構成にすれば良い。また、所定の光信号が有るときに緑色で点灯させ、光信号が無いときに赤色で点灯させても良い。
【００６０】
このように、判定結果出力手段７８を発光素子で構成すれば、誤接続の有無を、ＬＥＤの発光を視認することで容易に確認できる。
【００６１】
また、ＷＤＭ装置が、監視・制御部を搭載している場合は、判定結果出力手段７８が、判定結果を、この監視・制御部に通知する構成にしても良い。
【００６２】
この発明の光通信装置及び光通信装置における誤接続監視方法によれば、光多重部の前段に、各チャネルに割り当てられた光信号を出力し、他のチャネルに割り当てられた光信号を遮断する選択手段を備え、選択手段から出力される光信号の有無によって、誤接続を監視する。
【００６３】
このため、主信号以外の情報を用いずに誤接続の監視が可能となるので、接続管理情報の処理を行う回路が不要となる。また、接続管理情報の処理を行う回路が不要となることから、装置の小型化が容易になる。
【００６４】
また、接続管理情報を含む信号を用いずに、すなわち、主信号と接続管理のための信号を切換えることなく、信号の監視を行えるので、主信号の伝送を行っている間も、常時、光信号の有無を監視できる。
【００６５】
この結果、トランスポンダ部と、波長多重分離部を接続する際の誤接続の監視だけでなく、主信号の伝送を行っている通常状態にて運用されている際の、経年劣化等によるトランスポンダ部から波長多重分離部へ送られる光信号の強度レベルの低下などについての監視も、行うことができる。
【００６６】
（第２実施形態）
図３を参照して、第２実施形態の光通信装置について説明する。第２実施形態の光通信装置は、誤接続判定部の構成が、第１実施形態の光通信装置と異なっており、その他の点については、第１実施形態の光通信装置と同様であるので、重複する説明は省略することもある。
【００６７】
図３は、誤接続判定部の概略的なブロック図である。
【００６８】
誤接続判定部６２は、分岐手段７２と、波長選択手段７０と、光電変換手段７４と、判定手段７６と、判定結果出力手段７８とを備えている。
【００６９】
分岐手段７２は、光信号を２分岐して、一方の第１光信号Ｓ２７２を波長選択手段７０に送り、他方の第２光信号Ｓ２７３を波長多重手段に送る。分岐手段７２は、入力された光信号を２分岐して出力する機能を有していれば良く、例えば、光分岐部品などで構成される。分岐手段７２における分岐の比率は、設計に応じて任意好適な比率に設定すれば良い。例えば、第１光信号については、波長選択手段７０、光電変換手段７４や判定手段７６における光信号の有無の判定に必要な強度に基づいて比率を定めればよい。なお、第２光信号については、伝送される光信号の減衰を抑えるために、第２光信号の比率は高い方が良い。
【００７０】
波長選択手段７０は、第１光信号Ｓ２７２に含まれる、当該チャネルに割り当てられた波長の光信号を選択して出力し、かつ、他のチャネルに割り当てられた波長の光を遮断する。
【００７１】
波長選択手段７０から出力された光信号である選択光信号Ｓ１７１は、光電変換手段７４に送られる。光電変換手段７４は、波長選択手段７０から出力された第１光信号を電気信号に変換する。光電変換手段７４で生成された電気信号は、判定手段７６に送られる。
【００７２】
判定手段７６は、電気信号の強度を、予め定められたしきい値と比較する。電気信号の強度がしきい値以上であれば、そのチャネルに割り当てられた波長の光信号が「有」と判定され、しきい値より小さい場合は、そのチャネルに割り当てられた波長の光信号が「無」と判定される。判定手段７６は、光信号が「有」の場合は、“１”を示すＨレベルの論理信号Ｓ１７６を判定結果出力手段７８に送り、光信号が「無」の場合は、“０”を示すＬレベルの論理信号Ｓ１７６を判定結果出力手段７８に送る。
【００７３】
判定結果出力手段７８は、判定の結果を外部に出力する。
【００７４】
なお、波長選択手段７０、光電変換手段７４、判定手段７６及び判定結果出力手段７８については、第１実施形態と同様に構成すれば良く、ここでは説明を省略する。
【００７５】
第１実施形態の光通信装置では、入力された光信号は、波長選択手段を経て分岐手段に送られ、分岐手段で２分岐された一方の光信号が波長多重手段に送られる。第１実施形態の光通信装置によれば、光信号の強度が高い段階で、効率良く波長選択を行うことができる。その一方で、波長選択手段における光信号の減衰に対する考慮が必要である。
【００７６】
これに対し、第２実施形態の光通信装置では、入力された光信号は、分岐手段で２分岐され、一方が波長多重手段に送られ、他方が波長選択手段に送られる。第２実施形態の光通信装置によれば、多重される信号は、波長選択手段を経ずに波長多重手段に送られるので、波長選択手段における光信号の減衰を考慮する必要がない。その一方で、波長選択手段には、分岐された他方の光信号が送られるので、その強度が低くなる点に考慮が必要である。
【００７７】
すなわち、設計に応じて誤接続判定の際の光信号強度を高めたいときは、第１実施形態の構成を採用し、光通信装置間で伝送される光信号強度に対する要求が強い場合は、第２実施形態の構成を採用することができる。
【図面の簡単な説明】
【００７８】
【図１】第１実施形態の光通信装置を説明するための概略図である。
【図２】トランスポンダ部を説明するための概略図である。
【図３】誤接続判定部を説明するための概略図である。
【図４】光通信ネットワークを説明するための概略図である。
【図５】誤接続監視システムの従来例を説明するための概略図である。
【符号の説明】
【００７９】
１０    ＷＤＭ装置
１２、１４    センタ装置
２０、２２、２４、２６    トランスポンダ部
３０    Ｅ／Ｏ変換手段
３２、５０    入出力手段
３４    Ｏ／Ｅ変換手段
３６    入力用Ｏ／Ｅ変換手段
３７    信号切換部
３８    出力用Ｅ／Ｏ変換手段
３９    接続管理情報生成部
４０、４４、４６    波長多重分離部
５２    波長多重手段
５４    波長分離手段
６０、６２、６６    誤接続判定部
７０    波長選択手段
７２    分岐手段
７４、８０    光電変換手段
７６    判定手段
７８    判定結果出力手段
８２    光レベル検出手段
８４    接続管理情報解釈手段
８６    制御手段
９０    光ファイバ
９２、９４    ローカル装置（クライアント装置）
【図１】
2010114507.tif 000003
【図２】
2010114507.tif 000004
【図３】
2010114507.tif 000005
【図４】
2010114507.tif 000006
【図５】
2010114507.tif 000007